(57)【要約】      （修正有）【課題】背景映像等のコンテンツを、ネットワークを介して取得するカラオケ装置において、予約したコンテンツが再生順に達しても当該コンテンツデータの取得が完了していなかった場合の次のアクションが選択できるようにする。【解決手段】外部サーバ装置から配信される外部コンテンツを再生する再生手段、内部記憶領域に格納された内部コンテンツを再生する再生手段、音声コンテンツと映像コンテンツをそれぞれ個別に、あるいは組み合わせて再生する再生手段、を持ち、コンテンツの選択肢を提示し利用者の選択を受け付ける手段を設ける。【選択図】図１
2014153405.tif 000002
【特許請求の範囲】
【請求項１】
ネットワーク経由でカラオケ装置と外部サーバ装置が接続され、外部サーバ装置から取得する外部コンテンツと、内部記憶領域に格納された内部コンテンツを再生可能なカラオケ装置であって、
コンテンツとして、カラオケコンテンツ、音声コンテンツ、映像コンテンツの中からそれぞれ個別に、あるいは、カラオケコンテンツまたは音声コンテンツと、映像コンテンツを組み合わせて再生できる機能を持ち、
視聴用のコンテンツデータ記憶手段と、
外部サーバ装置に記憶されたコンテンツデータを選択して取得するコンテンツデータ取得手段、
コンテンツ再生予約受付手段、
予約に応じてコンテンツ再生指示及びコンテンツデータ取得指示等を行う制御手段、
コンテンツ再生手段、
及び、再生するコンテンツが内部コンテンツと外部コンテンツの組み合わせの場合を第一のケース、上記以外で外部コンテンツを含む場合を第二のケースとし、コンテンツを予約順に再生させる際、ネットワークを介して前記外部サーバ装置に登録されたコンテンツデータの取得要求を行った場合であって、予約したコンテンツが再生順に達しても当該コンテンツデータの取得が完了していなかったとき、第一のケース、第二のケースそれぞれに対し、異なる選択肢を提示し選択を受け付ける選択肢受付手段を有し、
前記第一のケースの場合、
１．そのままコンテンツデータの取得を続け、取得が完了したらコンテンツ再生を行う。
２．次の順の（コンテンツデータの取得が不要な）内部コンテンツを先に再生させ、当該外部コンテンツの取得を継続し、取得した時点で再生中の内部コンテンツの次に再生させる。
３．外部コンテンツの使用をあきらめ、外部コンテンツの取得を中止し、使用をあきらめた外部コンテンツを代替できる内部コンテンツがあっても、当該内部コンテンツは使用せず、指定された一方の内部コンテンツのみを再生する。
４．外部コンテンツの使用をあきらめ、外部コンテンツの取得は中止し、内部コンテンツを再生する。使用をあきらめた外部コンテンツを代替できる内部コンテンツがある場合、当該内部コンテンツと予約された内部コンテンツとを組み合わせて再生する。
５．当該外部コンテンツの再生をとりやめ、次の順の内部コンテンツの再生を行なう。
を選択肢とし、
前記第二のケースの場合、
１．そのままコンテンツデータの取得を続け、取得が完了したらコンテンツ再生を行う。
２．次の順の（コンテンツデータの取得が不要な）内部コンテンツを先に再生させ、当該外部コンテンツの取得を継続し、取得した時点で再生中の内部コンテンツの次に再生させる。
３．当該外部コンテンツの再生をとりやめ、次の順の内部コンテンツの再生を行なう。
を選択肢とし、
前記制御手段は前記選択肢受付手段によって選択された方法でコンテンツの再生を行うことを特徴とするカラオケ装置。
【請求項２】
前記選択肢受付手段は、外部コンテンツの再生順到来時に、当該外部コンテンツの取得が完了していない状態の発生の都度、前記選択を受け付けることを特徴とする前記請求項１記載のカラオケ装置。
【請求項３】
前記選択肢受付手段は、前記選択をあらかじめ受け付けておくことを特徴とする前記請求項１記載のカラオケ装置。
【請求項４】
前記選択肢受付手段は、前記選択をコンテンツ再生予約時に受け付けることを特徴とする前記請求項１記載のカラオケ装置。
【請求項５】
前記制御手段が、前項記載の再生予約時に受け付けた選択を、前記請求項３記載のカラオケ装置があらかじめ受け付けた選択に優先させることを特徴とする前記請求項３乃至４記載のカラオケ装置。
【請求項６】
前記制御手段は、前記請求項３記載のあらかじめ受け付けた選択と前記請求項４記載の予約時に受け付けた選択が相違した場合、改めて選択を受け付け、その選択に基づき再生を行うことを特徴とする前記請求項３乃至４記載のカラオケ装置。
【発明の詳細な説明】
【技術分野】
【０００１】
この発明は、ネットワーク経由で、外部サーバ装置から配信される外部コンテンツと、内部記憶領域に格納された内部コンテンツを再生可能なカラオケ装置であって、
コンテンツとして、カラオケコンテンツ、音声コンテンツ、映像コンテンツの中からそれぞれ個別に、あるいは、カラオケコンテンツまたは音声コンテンツと、映像コンテンツを組み合わせて再生できる機能を持つカラオケ装置に関する。
【背景技術】
【０００２】
従来、例えばカラオケボックス等において使用されるカラオケ装置の表示映像には、カラオケ装置によるカラオケ演奏に同期して歌詞テロップが表示されると共に背景映像が表示されていた。この場合、背景映像は、記憶装置などに予め用意された動画などを背景映像として表示するようにしている。このカラオケ装置では、背景映像として表示される動画の種類は、予め曲を提供する業者側で曲のイメージに合うであろうと考えられて選定されたものであり、同一曲を再生すると、いつも同じ映像が表示されるようになっていた。
しかし、予め選定された映像では、毎回同じ映像が表示されるため歌っている本人のみならず、同席している友人などもこの背景映像に飽きてしまい、その場を盛り上げることができないという問題があった。
【０００３】
しかも、その映像は演奏曲ごとにオリジナルに作成されている場合ばかりではなく、
何曲か歌っていると他の曲でも同じ映像が表示される場合もある。
【０００４】
また、その映像はカラオケ業者によって割り付けられていることが多く、歌唱者にとって必ずしも曲にマッチした映像でないことも多かった。
【０００５】
また、顧客が自分用にカスタマイズされた映像で歌いたいという希望を持ったり、顧客が思い入れのある曲を自分で撮影した映像で歌いたいという要望もあった。
【０００６】
そこで、近年では、ユーザが独自に作成した背景映像を、カラオケ機器メーカーのサーバに登録（アップロード）し、カラオケ店にある機器に取得（ダウンロード）して独自映像でカラオケを楽しむ提案も行われている。（特許文献１乃至３参照）
【先行技術文献】
【特許文献】
【０００７】
【特許文献１】特開2002-366170号公報
【特許文献２】特開2003-076381号公報
【特許文献３】特許4311485号公報
【発明の概要】
【発明が解決しようとする課題】
【０００８】
特許文献１は、カラオケにおいて使用されるオリジナル背景映像を、ネットワークを介して顧客に提供するというものである。しかし、ネットワークトラブルや転送処理の遅延によって演奏時までに背景映像の受信が完了しない場合の記述はない。
【０００９】
さらに特許文献２では、自作映像をどこのカラオケ店でも利用できるように、自作映像を保管するための読み書き自在な大容量記憶装置を備えた映像サーバを、公衆通信ネットワークを介して各地に散在するカラオケ装置が前記映像サーバにアクセスできるように構成し、リクエストされたある楽曲を演奏するのに際し、リクエストした利用者の利用者ＩＤと自作映像要求イベントを受け付けたならば、その利用者ＩＤを前記映像サーバに送達して該当する映像データを転送してもらい、その映像データを前記楽曲のカラオケ演奏時に歌詞の背景映像として表示するものであるが、こちらも演奏時までに背景映像の転送が完了しなかった場合の言及はない。
【００１０】
特許文献３は、個別の映像データの取得に時間がかかる場合であっても、歌唱者を待たせずに、カラオケ曲の演奏を開始することができるカラオケ装置を提供することを目的とする。カラオケ装置は、汎用の映像データを記憶しておき、個別背景映像の転送を受けるまでの間、汎用映像データを用いてカラオケ曲の演奏をスタートするようにしたことにより、他のカラオケ装置から映像データを転送している場合でも待ち時間を短くカラオケ演奏をスタートすることができる。
【００１１】
しかし、この場合、汎用映像を無条件に使用するため必ずしも顧客の希望しない映像で演奏しなければならないため、顧客は不満を持つことになる。顧客は自分の作成した背景映像でこそ演奏したいという可能性もあり、その映像が使えないのであれば、その曲の演奏は次の機会に廻したいなどと考えることも予想できる。これを一律に固定映像に差し替えるのは不親切ともいえる。
【００１２】
本発明は、コンテンツ再生機能をもつカラオケにおいて使用される背景映像等のコンテンツを、ネットワークを介して取得するカラオケ装置において、演奏の順が廻ってきたときに、視聴予約したコンテンツがまだ取得完了となっていない場合の次のアクションが選択できるようにすることを目的としたものである。
【課題を解決するための手段】
【００１３】
本発明の請求項１では、ネットワーク経由でカラオケ装置と外部サーバ装置が接続され、外部サーバ装置からダウンロードされる外部コンテンツと、内部記憶領域に格納された内部コンテンツを再生可能なカラオケ装置において、
ネットワークを介して前記外部サーバ装置に登録されたコンテンツデータの取得要求を行った場合であって
予約したコンテンツが再生順に達しても当該コンテンツデータのダウンロードが完了していなかったとき、
１．そのままコンテンツデータのダウンロードを続け、ダウンロードが完了したらコンテンツ再生を行う。
２．次の順の（コンテンツデータのダウンロードが不要な）内部コンテンツを先に再生させ、当該外部コンテンツのダウンロードを継続し、ダウンロードした時点で再生中の内部コンテンツの再生の次に再生させる。
３．外部コンテンツの使用をあきらめ、外部コンテンツの取得を中止し、使用をあきらめた外部コンテンツを代替できる内部コンテンツがあっても、当該内部コンテンツは使用せず、指定された一方の内部コンテンツのみを再生する。
４．外部コンテンツの使用をあきらめ、外部コンテンツの取得は中止し、内部コンテンツを再生する。使用をあきらめた外部コンテンツを代替できる内部コンテンツがある場合、当該内部コンテンツと予約された内部コンテンツとを組み合わせて再生する。
５．当該外部コンテンツの再生をとりやめ、次の順の内部コンテンツの再生を行なう。
という選択肢の中から、１つを選択する。
選択しうるコンテンツ再生のパターンは下表のように３つのケースに分類される。
再生するコンテンツが内部コンテンツのみで構成されるケースではコンテンツ未取得は発生しない。
ケース１は、外部コンテンツと内部コンテンツとの組み合わせのパターンであり、外部コンテンツのダウンロードが完了しなくても物理的には内部コンテンツだけで再生が可能であるため、内部コンテンツのみの再生をする・しないの選択が発生する。
ケース２は、外部コンテンツのみのパターンであり、内部コンテンツの再生を前提とする上記選択肢３および４を選択する余地はなく、選択肢１、２、５のみが選択の対象となる。
【００１４】
【表１】
2014153405.tif 000003
【００１５】
請求項２では、請求項１の選択を、外部コンテンツの再生順到来時に、当該外部コンテンツの取得が完了していない状態の発生の都度行うというものである。
【００１６】
請求項３では、請求項１の選択を、カラオケ装置の初期設定等の形であらかじめ行うというものである。
【００１７】
請求項４では、前記選択をコンテンツ再生予約時に行うというものである。
【００１８】
請求項５では、前項記載のコンテンツ利用者による再生予約時の選択を、前記請求項３記載のコンテンツ再生装置の初期設定に優先させるというものである。
【００１９】
請求項６では請求項３であらかじめ受け付けた選択と、再生予約時（請求項４）の選択が相違した場合、改めて選択を受け付け、その選択に基づき再生を行うというものである。
【発明の効果】
【００２０】
本発明によれば、コンテンツ再生機能をもつカラオケ装置において使用されるオリジナル背景映像等の外部コンテンツデータを、ネットワークを介して取得するカラオケ装置において、予約順到来時までに外部コンテンツの取得が完了しない場合、利用者の選択によりダウンロード継続、代替コンテンツの再生、コンテンツ再生のとりやめなどを自由に決めることができる。
【図面の簡単な説明】
【００２１】
【図１】本発明の一実施例によるネットワーク接続を示す説明図。
【図２】予約曲順到来時に該当曲用の背景映像のダウンロードが未了の際の画面表示例。
【発明を実施するための形態】
【００２２】
以下に本発明の実施例を示す。
ネットワークカラオケシステムの会員は、カラオケ演奏時に背景にしたい映像（外部映像コンテンツ１６など）を入手または撮影し、ユーザ環境１５のＰＣ等より事前にサーバ１に登録しておく。さらに当該映像を背景に歌いたい楽曲を登録し、その楽曲の背景映像として該映像を指定しておく。カラオケ店に来店後、登録した楽曲を予約することにより、前記サーバ１からカラオケ装置４に顧客の登録した外部映像コンテンツ１０が送られる。
例としては、会員が結婚式で撮影した映像（外部映像コンテンツ１６）を昼のうちにサーバ１にアップロードしておき（外部映像コンテンツ１０）、その夜の二次会でカラオケの背景映像に使うなどという使い方がある。
登録した楽曲を予約した後その再生順が廻ってきたときに、前記外部映像コンテンツ１０の取得が完了していればそのまま再生に入るが、もし何らかの理由でまだ外部映像コンテンツ１０の転送が終わっていなかった場合、下記の選択ができる。
１．このままダウンロードの完了を待って再生する。
２．ダウンロードを継続し、完了までの間次の内部コンテンツを再生する。
３．ダウンロードを中止して、映像なしでカラオケ再生を開始する。
４．ダウンロードを中止して、内部映像コンテンツ７で再生を開始する。
５．ダウンロードを中止して、その曲の再生をとりやめる。
上記５つの選択肢がメニューとして現れ、顧客はそこから選択することで次のアクションを決めることができる。（メニュー例：図２）
何も選択しない場合、または選択するまでの間は２．が選択されたものとしてダウンロードを継続する。
カラオケ音声も背景とする映像も外部よりダウンロードされるコンテンツの場合３、４は選択できないため、１、２、５からの選択となる。
【産業上の利用可能性】
【００２３】
本発明によれば、外部コンテンツをネットワークを介してダウンロードするカラオケ装置において、再生順到来時までに外部コンテンツの取得が完了しない場合、利用者の選択によりダウンロード継続、代替内部コンテンツの再生、そのコンテンツの再生とりやめなどを自由に決めることができる。
【符号の説明】
【００２４】
１…サーバ
２…ネットワーク
３…モニタ
４…カラオケ装置
５…予約受付手段
６…ダウンロードエリア
７…内部映像コンテンツ
８…内部音声コンテンツ
９…内部カラオケコンテンツ
１０…外部映像コンテンツ
１１…外部音声コンテンツ
１２…外部カラオケコンテンツ
１４…初期設定データ
１５…ユーザ環境（ＰＣ／携帯端末等）
１６…ユーザ外部映像コンテンツ
１７…ユーザ外部音声コンテンツ
１８…ユーザ外部カラオケコンテンツ
【図１】
2014153405.tif 000004
【図２】
2014153405.tif 000005